(57)【要約】 【課題】ドア等の移動部材に調光機能を持たせる。【解決手段】調光装置１は、開口部を有する移動部材と、開口部に嵌めこまれる調光部材と、を備え、調光部材は、互いに対向して配置され、所定方向への相対移動により対向面同士の重なり具合を複数段階に切替可能な第１透光部及び第２透光部と、第１透光部に支持される第１調光部と、第２透光部に支持される第２調光部と、移動部材を移動させる移動部材操作具と、を備え、調光部材は、第１調光部及び第２調光部が重なり合う領域において、第１透光部及び第２透光部の所定方向への相対移動量に応じて異なる可視光波長域の透過率を有し、移動部材は、所定の基準面上の第１方向と、基準面に交差する第２方向と、に配置されており、調光部材は、移動部材の第１方向の中心位置を通って第２方向に向かう中心線よりも移動部材操作具に近い側に配置されている。【選択図】図１
2019011636.tif 000002
【特許請求の範囲】
【請求項１】
開口部を有する移動部材と、
前記開口部に嵌めこまれる調光部材と、を備え、
前記調光部材は、
互いに対向して配置され、所定方向への相対移動により対向面同士の重なり具合を複数段階に切替可能な第１透光部及び第２透光部と、
前記第１透光部に支持される第１調光部と、
前記第２透光部に支持される第２調光部と、
前記移動部材を移動させる移動部材操作具と、を備え、
前記調光部材は、前記第１調光部及び前記第２調光部が重なり合う領域において、前記第１透光部及び前記第２透光部の前記所定方向への相対移動量に応じて異なる可視光波長域の透過率を有し、
前記移動部材は、所定の基準面上の第１方向と、前記基準面に交差する第２方向と、に配置されており、
前記調光部材は、前記移動部材の前記第１方向の中心位置を通って前記第２方向に向かう中心線よりも前記移動部材操作具に近い側に配置されている、調光装置。
【請求項２】
前記調光部材は、前記移動部材操作具の前記第２方向の上端と下端との中心位置よりも上方に配置されている、請求項１に記載の調光装置。
【請求項３】
開口部を有する移動部材と、
前記開口部に嵌めこまれる調光部材と、を備え、
前記調光部材は、
互いに対向して配置され、所定方向への相対移動により対向面同士の重なり具合を複数段階に切替可能な第１透光部及び第２透光部と、
前記第１透光部に支持される第１調光部と、
前記第１調光部から所定の隙間を隔てて配置され、前記第２透光部に支持される第２調光部と、
前記第１調光部及び前記第２調光部の対向する面側にそれぞれ配置され、前記隙間を画定する隙間調整部材と、を備え、
前記調光部材は、前記第１調光部及び前記第２調光部が重なり合う領域において、前記第１透光部及び前記第２透光部の前記所定方向への相対移動量に応じて異なる可視光波長域の透過率を有する、調光装置。
【請求項４】
前記第１調光部及び前記第２調光部の対向する面側にそれぞれ配置される前記隙間調整部材の上に配置され、前記第１透光部及び前記第２透光部の前記所定方向への相対移動時に互いに接触し合って摺動する滑り部材を備える、請求項３に記載の調光装置。
【請求項５】
開口部を有する移動部材と、
前記開口部に嵌めこまれる調光部材と、を備え、
前記調光部材は、
互いに対向して配置され、所定方向への相対移動により対向面同士の重なり具合を複数段階に切替可能な第１透光部及び第２透光部と、
前記第１透光部に支持される第１調光部と、
前記第２透光部に支持される第２調光部と、
前記第１透光部及び前記第２透光部を前記所定方向に相対移動させる調光部材操作具と、を備え、
前記調光部材は、前記第１調光部及び前記第２調光部が重なり合う領域において、前記第１透光部及び前記第２透光部の前記所定方向への相対移動量に応じて異なる可視光波長域の透過率を有し、
前記調光部材操作具の操作荷重は、２〜２０ニュートンである、調光装置。
【請求項６】
前記第１透光部及び前記第２透光部を前記所定方向に相対移動させる調光部材操作具を備える、請求項１乃至４のいずれか一項に記載の調光装置。
【請求項７】
前記調光部材操作具は、前記調光部材を前記移動部材に固定する押し縁により隠蔽される箇所に配置される、請求項５又は６に記載の調光装置。
【請求項８】
前記移動部材は、ヒンジを軸として開閉可能なドアである、請求項１乃至７のいずれか一項に記載の調光装置。
【請求項９】
前記移動部材は、底辺の方向に沿ってスライド可能なドアである、請求項１乃至７のいずれか一項に記載の調光装置。
【請求項１０】
前記移動部材は、所定の基準面上の第１方向と、前記基準面に交差する第２方向と、に配置されており、
前記調光部材の前記第２方向の長さは、前記第１方向の長さよりも長い、請求項１乃至９のいずれか一項に記載の調光装置。
【請求項１１】
前記調光部材の縁部に取り付けられ、前記調光部材を支持する枠体と、
前記枠体の内壁面と前記調光部材との間に配置される第１弾性部材と、を備え、
前記第１透光部及び前記第２透光部は、前記枠体の内側で前記所定方向に前記第１弾性部材に接触するまで相対移動する、請求項１乃至８のいずれか一項に記載の調光装置。
【請求項１２】
前記開口部の壁面と前記枠体との間に配置される第２弾性部材を備える、請求項１１に記載の調光装置。
【請求項１３】
前記開口部の壁面に沿って配置され、前記調光部材を前記移動部材に固定する押し縁を備える、請求項１乃至１０のいずれか一項に記載の調光装置。
【請求項１４】
前記開口部の壁面に沿って配置され、前記枠体の少なくとも一部を隠蔽するとともに、前記調光部材を前記移動部材に固定する押し縁を備える、請求項１１または１２に記載の調光装置。
【請求項１５】
前記調光部材は、前記第１透光部及び前記第２透光部の少なくとも一方に貼合される飛散防止層を有する、請求項１乃至１４のいずれか一項に記載の調光装置。
【請求項１６】
前記第１調光部及び前記第２調光部は、飛散防止機能を有する、請求項１乃至１４のいずれか一項に記載の調光装置。
【請求項１７】
前記第１調光部は、
第１偏光軸を有する第１偏光層と、
前記所定方向に沿って配列された複数の第１領域を含む第１位相差フィルムと、を有し、
前記第２調光部は、
第２偏光軸を有する第２偏光層と、
前記所定方向に沿って配列された複数の第２領域を含む第２位相差フィルムと、を有し、
前記複数の第１領域のうち、隣接する２つの第１領域は、前記所定方向に沿って面内の遅相軸の方向が異なっており、
前記複数の第２領域のうち、隣接する２つの第２領域は、前記所定方向に沿って面内の遅相軸の方向が異なっている、請求項１乃至１６のいずれか一項に記載の調光装置。
【請求項１８】
前記第１透光部及び前記第２透光部の少なくとも一方は、Ｌｏｗ−Ｅガラスである、請求項１乃至１７のいずれか一項に記載の調光装置。
【請求項１９】
請求項１乃至１８のいずれか一項に記載の調光装置を備える構造体。
【請求項２０】
請求項１乃至１８のいずれか一項に記載の調光装置を備える建物。
【発明の詳細な説明】
【技術分野】
【０００１】
本開示は、調光装置、構造体及び建物に関する。
【背景技術】
【０００２】
透過率を調整可能な調光装置が提案されている。従前の調光装置は、電圧を調整して透過率を連続的または段階的に調整するものであり、電圧を調整する電源装置や、電源装置に接続するケーブルなどが必要となる。このため、装置が大がかりになり、消費電力が増大する上に、設備コストもかかるという問題がある。また、透過率を瞬時に切り替えることができないという不具合もある。
【０００３】
一方、特許文献１には、外界から屋内に入射する光量をわずかなスライド操作で調節可能な調光装置が開示されている。この調光装置は、外部電源を必要とせずに、調光を行えるようにしている。
【先行技術文献】
【特許文献】
【０００４】
【特許文献１】特開平９−３１０５６７号公報
【発明の概要】
【発明が解決しようとする課題】
【０００５】
しかしながら、特許文献１に開示された調光装置は、屋根等の外光入射部位の建材としての利用を念頭に置いており、建物内の窓ガラスに取り付けることは意図していない。
【０００６】
病院や介護施設、老人施設などでは、入院患者や入居者等のプライバシに配慮しつつも、異常がないかどうかを定期的に見守る必要がある。このため、入院患者や入居者のいる部屋のドアに小窓を設けて、部屋の外から部屋の内部を観察できるようにすることが考えられる。
【０００７】
しかしながら、ドアに小窓を設けただけだと、部屋の内部が丸見えになり、入居者等のプライバシが侵害されてしまう。また、夜間には部屋を消灯していても、小窓から部屋の外から内部に光が入り込んでしまい、入居者等の睡眠の妨げになる。小窓にカーテンやブラインドを設けることも考えられるが、カーテンやブラインドの隙間から光が部屋内に入り込むのを防止することは難しい。
【０００８】
本開示は、上述した課題を解決するためのものであり、ドア等の移動部材に調光機能を持たせた調光装置、構造体及び建物を提供するものである。
【課題を解決するための手段】
【０００９】
上記の課題を解決するために、本開示では、開口部を有する移動部材と、
前記開口部に嵌めこまれる調光部材と、を備え、
前記調光部材は、
互いに対向して配置され、所定方向への相対移動により対向面同士の重なり具合を複数段階に切替可能な第１透光部及び第２透光部と、
前記第１透光部に支持される第１調光部と、
前記第２透光部に支持される第２調光部と、
前記移動部材を移動させる移動部材操作具と、を備え、
前記調光部材は、前記第１調光部及び前記第２調光部が重なり合う領域において、前記第１透光部及び前記第２透光部の前記所定方向への相対移動量に応じて異なる可視光波長域の透過率を有し、
前記移動部材は、所定の基準面上の第１方向と、前記基準面に交差する第２方向と、に配置されており、
前記調光部材は、前記移動部材の前記第１方向の中心位置を通って前記第２方向に向かう中心線よりも前記移動部材操作具に近い側に配置されている、調光装置が提供される。
【００１０】
前記調光部材は、前記移動部材操作具の前記第２方向の上端と下端との中心位置よりも上方に配置されていてもよい。
【００１１】
本開示では、開口部を有する移動部材と、
前記開口部に嵌めこまれる調光部材と、を備え、
前記調光部材は、
互いに対向して配置され、所定方向への相対移動により対向面同士の重なり具合を複数段階に切替可能な第１透光部及び第２透光部と、
前記第１透光部に支持される第１調光部と、
前記第１調光部から所定の隙間を隔てて配置され、前記第２透光部に支持される第２調光部と、
前記第１調光部及び前記第２調光部の対向する面側にそれぞれ配置され、前記隙間を画定する隙間調整部材と、を備え、
前記調光部材は、前記第１調光部及び前記第２調光部が重なり合う領域において、前記第１透光部及び前記第２透光部の前記所定方向への相対移動量に応じて異なる可視光波長域の透過率を有する、調光装置が提供される。
【００１２】
前記第１調光部及び前記第２調光部の対向する面側にそれぞれ配置される前記隙間調整部材の上に配置され、前記第１透光部及び前記第２透光部の前記所定方向への相対移動時に互いに接触し合って摺動する滑り部材を備えていてもよい。
【００１３】
本開示では、開口部を有する移動部材と、
前記開口部に嵌めこまれる調光部材と、を備え、
前記調光部材は、
互いに対向して配置され、所定方向への相対移動により対向面同士の重なり具合を複数段階に切替可能な第１透光部及び第２透光部と、
前記第１透光部に支持される第１調光部と、
前記第２透光部に支持される第２調光部と、
前記第１透光部及び前記第２透光部を前記所定方向に相対移動させる調光部材操作具と、を備え、
前記調光部材は、前記第１調光部及び前記第２調光部が重なり合う領域において、前記第１透光部及び前記第２透光部の前記所定方向への相対移動量に応じて異なる可視光波長域の透過率を有し、
前記調光部材操作具の操作荷重は、２〜２０ニュートンである、調光装置が提供される。
【００１４】
前記第１透光部及び前記第２透光部を前記所定方向に相対移動させる調光部材操作具を備えていてもよい。
【００１５】
前記調光部材操作具は、前記調光部材を前記移動部材に固定する押し縁により隠蔽される箇所に配置されてもよい。
【００１６】
前記移動部材は、ヒンジを軸として開閉可能なドアであってもよい。
【００１７】
前記移動部材は、底辺の方向に沿ってスライド可能なドアであってもよい。
【００１８】
前記移動部材は、所定の基準面上の第１方向と、前記基準面に交差する第２方向と、に配置されており、
前記調光部材の前記第２方向の長さは、前記第１方向の長さよりも長くてもよい。
【００１９】
前記調光部材の縁部に取り付けられ、前記調光部材を支持する枠体と、
前記枠体の内壁面と前記調光部材との間に配置される第１弾性部材と、を備え、
前記第１透光部及び前記第２透光部は、前記枠体の内側で前記所定方向に前記第１弾性部材に接触するまで相対移動してもよい。
【００２０】
前記開口部の壁面と前記枠体との間に配置される第２弾性部材を、を備えていてもよい。
【００２１】
前記開口部の壁面に沿って配置され、前記調光部材を前記移動部材に固定する押し縁を備えていてもよい。
【００２２】
前記開口部の壁面に沿って配置され、前記枠体の少なくとも一部を隠蔽するとともに、前記調光部材を前記移動部材に固定する押し縁を備えていてもよい。
【００２３】
前記調光部材は、前記第１透光部及び前記第２透光部の少なくとも一方に貼合される飛散防止層を有してもよい。
【００２４】
前記第１調光部及び前記第２調光部は、飛散防止機能を有してもよい。
【００２５】
前記第１調光部は、
第１偏光軸を有する第１偏光層と、
前記所定方向に沿って配列された複数の第１領域を含む第１位相差フィルムと、を有し、
前記第２調光部は、
第２偏光軸を有する第２偏光層と、
前記所定方向に沿って配列された複数の第２領域を含む第２位相差フィルムと、を有し、
前記複数の第１領域のうち、隣接する２つの第１領域は、前記所定方向に沿って面内の遅相軸の方向が異なっており、
前記複数の第２領域のうち、隣接する２つの第２領域は、前記所定方向に沿って面内の遅相軸の方向が異なっていてもよい。
【００２６】
前記第１透光部及び前記第２透光部の少なくとも一方は、Ｌｏｗ−Ｅガラスであってもよい。
【００２７】
上述した調光装置を備える構造体であってもよい。
【００２８】
上述した調光装置を備える建物であってもよい。
【発明の効果】
【００２９】
本開示は、ドア等の移動部材に調光機能を持たせることができる。
【図面の簡単な説明】
【００３０】
【図１】本開示の一実施形態による調光装置の斜視図。
【図２Ａ】図１の調光部材のＡ−Ａ線方向の断面図。
【図２Ｂ】図１の調光部材のＢ−Ｂ線方向の断面図。
【図２Ｃ】図２Ａの一変形例を示す断面図。
【図２Ｄ】押し縁を調光部材の片側だけに設けた例を示す図。
【図３Ａ】枠体を持たない調光部材における図１のＡ−Ａ線方向の断面図。
【図３Ｂ】枠体を持たない調光部材における図１のＢ−Ｂ線方向の断面図。
【図４】調光部材の形状を説明する平面図。
【図５】移動部材における調光部材の配置場所を説明する図。
【図６】第１透光部または第２透光部を所定方向に相対的に移動させる調光部材操作具１５を設ける例を示す図。
【図７Ａ】図６のＣ−Ｃ線断面図。
【図７Ｂ】図６のＤ−Ｄ線断面図。
【図８Ａ】第１透光部と第２調光部とを直接対向させる例を示す断面図。
【図８Ｂ】第１透光部と第２透光部とを直接対向させる例を示す断面図。
【図９】図１Ａの調光部材における第１透光部及び第２透光部の一方に飛散防止フィルム１６を貼合した例を示す図。
【図１０】新たな透光部を追加して三重窓構造にした例を示す図。
【図１１】第１調光部が貼り合わされた第１透光部の断面構造と、第２調光部が貼り合わされた第２透光部の断面構造とを示す図。
【図１２】第１調光部と第２調光部の繰り返し配列構造を示す図。
【図１３】第１調光部と第２調光部を重ね合わせた例を示す図。
【図１４】図１３から第１調光部と第２調光部の所定方向への相対移動量をピッチ分だけずらした例を示す図。
【図１５】可視光透過率を多段階に切替可能な第１調光部と第２調光部を説明する図。
【図１６】第１位相差フィルムと第２位相差フィルムの遅延軸を示す図。
【図１７】第１位相差フィルムと第２位相差フィルムの遅延軸を示す図。
【発明を実施するための形態】
【００３１】
以下、図面を参照して本開示の実施形態について説明する。なお、本明細書に添付する図面においては、図面の理解のしやすさの便宜上、適宜縮尺及び縦横の寸法比等を、実物のそれらから変更し誇張している場合がある。
【００３２】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３３】
また、本明細書における「上下方向」は、鉛直方向に平行な面内において水平方向と非平行な方向であり、必ずしも鉛直方向とは一致しない。「上」とは、上下方向における一方であって、鉛直方向における「上」に近接する側（又は方）のことを指す。「下」とは、上下方向における「上」とは反対の側であって、鉛直方向における「下」に近接する側（又は方）のことを指す。
【００３４】
また、本明細書において、「シート」、「フィルム」、「板」等の用語は、呼称の違いのみに基づいて、それぞれ区別されるものではない。したがって、例えば、「シート」はフィルムや板と呼ばれ得るような部材も含む概念である。
【００３５】
図１は本開示の一実施形態による調光装置１の斜視図である。図１の調光装置１は、建物内に設けられる部屋の開閉を行うドアに調光機能を持たせたものであり、具体的には調光ドアである。図１の調光装置１は、開口部４ａを有する移動部材４と、開口部４ａに嵌めこまれる調光部材３とを備えている。
【００３６】
移動部材４とは、典型的にはドアである。移動部材４は、ドア以外の移動可能な建具でもよく、例えばキャスタの付いたパーティション部材でもよい。ここで、移動とは、所定方向への直線移動でもよいし、所定位置を中心とした回転移動でもよい。例えば、移動部材４がドアである場合、ヒンジを軸として開閉するドアでもよいし、底辺の方向に沿ってスライド可能なドアでもよい。
【００３７】
図２Ａは図１の調光部材３のＡ−Ａ線方向の断面図、図２Ｂは図１の調光部材３のＢ−Ｂ線方向の断面図である。調光部材３は、第１透光部２、第２透光部６、第１調光部８及び第２調光部９を有する。第１透光部２、第２透光部６、第１調光部８及び第２調光部９は、少なくとも一部が重なり合うように配置されている。
【００３８】
第１透光部２と第２透光部６は、互いに対向して配置され、所定方向への相対移動により対向面同士の重なり具合を複数段階に切替可能である。第１透光部２と第２透光部６の一方は固定されており、他方は所定方向に所定量だけ移動可能とされている。
【００３９】
第１調光部８は第１透光部２に支持され、第２調光部９は第２透光部６に支持されている。典型的には、第１調光部８は第１透光部２に貼合され、第２調光部９は第２透光部６に貼合されている。よって、第１透光部２と第２透光部６を所定方向に相対移動させると、それに合わせて、第１調光部８と第２調光部９も所定方向に相対移動することになる。第１透光部２と第２透光部６は略同サイズであり、第１調光部８と第２調光部９も略同サイズである。第１調光部８のサイズは第１透光部２のサイズ以下であり、第２調光部９のサイズも第２透光部６のサイズ以下であればよいが、本実施形態では、第１透光部２、第２透光部６、第１調光部８及び第２調光部９のサイズが同一の例を説明する。
【００４０】
調光部材３は、第１調光部８及び第２調光部９が重なり合う領域において、第１透光部２及び第２透光部６の所定方向への相対移動量に応じて異なる可視光波長域の透過率を有する。このように、第１透光部２及び第２透光部６の所定方向への相対的なずらし量に応じて、調光部材３の透過率が変化する。透過率の変化は２段階でもよいし、３段階以上の多段階でもよい。
【００４１】
図２Ａ及び図２Ｂに示すように、第１調光部８と第２調光部９は、所定の隙間ｇを隔てて対向して配置されている。隙間ｇの部分には、隙間調整部材１１と滑り部材１０が配置されている。図２Ａでは、第１調光部８の縁付近に隙間調整部材１１を接着し、その上に滑り部材１０を接着している。同様に、第２調光部９の縁付近にも、隙間調整部材１１を接着し、その上に滑り部材１０を接着している。そして、両方の滑り部材１０同士を接触させながら移動させる例を示している。滑り部材１０の表面の摩擦係数は小さく、かつ耐摩耗性にも優れているため、滑り部材１０同士が接触することで、第１調光部８と第２調光部９を所定方向に相対移動させやすくなる。滑り部材１０は、例えばポリエチレンフィルムにシリコーン系の粘着剤を塗布したものであり、隙間調整部材１１は、例えばブチルゴムなどの弾力性のある材料である。なお、両方の滑り部材１０を接触させずに、その間に隙間ｇを設けてもよい。
【００４２】
図２Ａの例では、第１調光部８及び第２調光部９の間に、隙間調整部材１１と滑り部材１０を一組とする二組が配置されており、これら二組の厚みによって、第１調光部８及び第２調光部９の隙間ｇが画定される。ただし、隙間調整部材１１に比べて滑り部材１０の厚みは十分に小さいため、実際には２つの隙間調整部材１１の厚みによって第１調光部８及び第２調光部９の隙間ｇが画定される。なお、隙間調整部材１１の表面が滑り性がよければ、滑り部材１０を省略してもよい。また、隙間調整部材１１なしで滑り部材１０のみを第１調光部８及び第２調光部９の間に設けてもよい。よって、隙間調整部材１１は必ずしも必須の構成部材ではない。
【００４３】
本実施形態では、第１調光部８及び第２調光部９の所定方向へのずらし量に応じて、調光部材３の透過率を調整するため、透過率の調整の観点からは、第１調光部８及び第２調光部９の隙間ｇはできるだけ小さい方がよい。隙間ｇが大きいと、調光部材３を正面に対して斜めから見た場合に不所望な筋が見えるおそれがあるためである。その一方で、隙間ｇが小さすぎると、衝撃や振動等により、第１調光部８と第２調光部９同士が接触して、擦れて摩耗するおそれがある。このように、隙間ｇは大きすぎても小さすぎてもよくない。本発明者が検証したところ、隙間ｇを０．１〜２．０ｍｍの範囲内の値にするのが望ましいことがわかった。
【００４４】
図２Ｃは図２Ａの一変形例を示す断面図である。図２Ｃでは、滑り部材１０を第１透光部２及び第２透光部６の裏面側から隙間調整部材１１の上面まで接着させた例を示している。２つの滑り部材１０は、互いに接触した状態で摺動するため、経年劣化により剥離するおそれがあるが、図２Ｃのように裏面側まで滑り部材１０を接着させていると、剥離しにくくなる。
【００４５】
図２Ａ及び図２Ｂに示すように、調光部材３の縁部には枠体７が取り付けられている。この枠体７は、調光部材３を支持するためのものである。枠体７は、例えばアルミニウムを材料とし、調光部材３の周囲を取り囲むフレームである。第１透光部２と第２透光部６は、枠体７の内側にて、所定方向に相対的に移動する。図２Ｂに示すように、枠体７の断面はコの字状になっており、第１透光部２と第２透光部６は、枠体７の対向する２つの内壁面の間に収納されている。第１透光部２と第２透光部６の一方（図２Ｂの場合は第１透光部２）は固定であるのに対し、他方（図２Ｂの場合は第２透光部６）は枠体７の対向する２つの内壁面の間で所定方向（図２Ｂの矢印方向）に移動可能とされている。第２透光部６が枠体７の内側で移動しても、第２透光部６の端部が枠体７の外側から視認されないように、枠体７にはフランジ部７ａが設けられている。よって、調光部材３の外側からは、常に第１透光部２と第２透光部６が二枚重ねになった状態で視認されることになる。
【００４６】
枠体７の内側で第１透光部２及び第２透光部６を所定方向に相対移動させると、第１透光部２又は第２透光部６の端面が枠体７の内壁に接触し、接触時の衝撃で大きな音が鳴ったり、透光部が摩耗するおそれがある。そこで、図２Ｂに示すように、枠体７の内壁と第１透光部２及び第２透光部６の端面の間に第１弾性部材１７を配置している。これにより、第１透光部２及び第２透光部６を所定方向に相対移動させたときに、第１透光部２又は第２透光部６が第１弾性部材１７に接触したときの衝撃を吸収するため、接触による大きな音もしなくなり、また第１透光部２又は第２透光部６の摩耗や破損も防止できる。
【００４７】
また、移動部材４を開閉させたときの振動等により調光部材３が上下に振動したとしても、図２Ａに示すように、枠体７と開口部４ａの壁面との間には第２弾性部材１８が配置されているため、枠体７が開口部４ａの壁面に衝突しなくなり、衝突音の発生や枠体７の摩耗や破損を防止できる。
【００４８】
第１弾性部材１７及び第２弾性部材１８の材料としては、例えば、ブチルゴムなどの弾力性に優れた材料が用いられる。
【００４９】
図２Ａに示すように、調光部材３は、押し縁１３によって移動部材４に固定されている。押し縁１３は、少なくとも開口部４ａの上下方向の壁面に沿って延在されている。すなわち、押し縁１３は、図２Ａの紙面の表裏方向に延在されており、ネジや釘１３ａ等により移動部材４の開口部４ａの壁面に固定されている。調光部材３の上側と下側のそれぞれにおいて、調光部材３を挟んで左右両側に押し縁１３を設けることで、調光部材３を移動部材４に堅固に固定することができる。なお、開口部４ａの左右方向の壁面にも押し縁１３を設けてもよい。
【００５０】
なお、押し縁１３の形状や配置は図２Ａに限定されるものではない。図２Ｄは押し縁１３を調光部材３の片側だけに設けた例を示している。図２Ｄでは、開口部４ａを段差状に形成し、開口部４ａの段差部分に調光部材３を押し当てた状態で、開口部４ａの上側と下側に押し縁１３を取り付けて調光部材３を固定している。
【００５１】
図１及び図２Ａ〜図２Ｄでは、第１透光部２及び第２透光部６の周囲に枠体７を設ける例を説明したが、枠体７を省略して部材コストを削減してもよい。図３Ａは枠体７を持たない調光部材３における図１のＡ−Ａ線方向の断面図、図３Ｂは枠体７を持たない調光部材３における図１のＢ−Ｂ線方向の断面図である。
【００５２】
図３Ａ及び図３Ｂに示すように、第１透光部２及び第２透光部６は、押し縁１３によって移動部材４に固定されている。また、移動部材４の開閉時の振動等による衝撃を抑制するために、第１透光部２及び第２透光部６の端面と開口部４ａの壁面との間には、第１弾性部材１７が配置されている。
【００５３】
第１透光部２及び第２透光部６の一方（図３Ｂでは第１透光部２）は固定されており、他方（図３Ｂでは第２透光部６）は所定方向に移動可能とされているが、移動した第２透光部６の端部が開口部４ａから視認されないように、透光部の移動量は押し縁１３の高さよりも小さくしている。これにより、常に第１透光部２と第２透光部６が重なり合って視認されることになる。
【００５４】
図４は調光部材３の形状を説明する平面図である。図４では、ドア等の移動部材４が所定の基準面上の第１方向ｘと、基準面に交差する第２方向ｙとに配置されている例を示している。調光部材３は縦長形状にしている。より具体的には、調光部材３の第２方向ｙの長さａを第１方向ｘの長さｂよりも長くしている。
【００５５】
病院や介護施設、老人施設等において、入院患者や入居者等の見守りを行う職員には男性も女性もおり、身長もさまざまである。その一方で、入居者等のプライバシを尊重する観点からは、調光部材３はできるだけ小さくするのが望ましい。そこで、見守り用途の調光部材３については、調光部材３の第１方向（基準面方向）ｘの長さをできるだけ抑制しつつ、第２方向（高さ方向）ｙについては種々の身長の職員の目線の高さの範囲をカバーできるように、第１方向ｘよりも長くするのが望ましい。より具体的には、例えば第２方向ｙを１０〜６０ｃｍの範囲内に長さにすることが考えられる。また、第１方向ｘの長さを第２方向ｙの長さの１／３程度にすることが考えられる。これにより、入居者等のプライバシを尊重しつつ、見守りの目的を達成しうる調光部材３が得られる。
【００５６】
図５は移動部材４における調光部材３の配置場所を説明する図である。図５では、移動部材４が所定の基準面上の第１方向ｘと、基準面に交差する第２方向ｙとに配置されている例を示している。また、移動部材４には、移動部材４を移動させる移動部材操作具１４が取り付けられている。移動部材操作具１４は、ドアノブや、スライドドアをスライドさせる把持具などである。図５に示すように、調光部材３は、移動部材操作具１４の第２方向ｙの上端と下端との中心位置よりも上方に配置されている。
【００５７】
移動部材操作具１４は、通常、標準的な身長の大人の腰の高さ付近に設けられており、調光部材３が移動部材操作具１４よりも低い位置に配置されていると、腰をかがめなければならず、使い勝手が悪くなる。そこで、本実施形態では、調光部材３を移動部材操作具１４よりも上方に配置するようにしている。
【００５８】
また、図５に示すように、調光部材３は、移動部材４の第１方向ｘの中心位置を通って第２方向ｙに向かう中心線ｃｔ１よりも移動部材操作具１４に近い側に配置されている。このような配置にする理由は、移動部材操作具１４を把持した状態で調光部材３を覗くことが多いと考えられ、調光部材３が移動部材操作具１４から遠く離れていると、移動部材操作具１４を把持したまま調光部材３を覗くことが困難になるためである。
【００５９】
上述したように、調光部材３は、第１調光部８と第２調光部９を所定方向に相対的にずらした量に応じて透過率を可変させることができるが、そのためには、第１透光部２または第２透光部６を所定方向に移動させなければならない。
【００６０】
図６は第１透光部２または第２透光部６を所定方向に相対的に移動させる調光部材操作具１５を設ける例を示す図である。人間が調光部材操作具１５を把持して所定方向にスライドさせることで、調光部材３の透過率を複数通りに変化させることができる。上述したように、入居者等のプライバシを尊重するために、調光部材３のサイズを小さくしている場合、調光部材操作具１５が露出された状態だと、見守りの邪魔になる上に、見栄えもよくない。そこで、図６の破線で示したように、調光部材操作具１５を押し縁１３等に隠蔽された場所に設けてもよい。なお、図６では、調光部材３の右側と上側の２箇所に破線で調光部材操作具１５を図示しているが、実際にはいずれか一方に設けられる。なお、調光部材操作具１５は、調光部材３の両面側に設けてもよい。例えば、部屋の外側から調光部材操作具１５を操作して、調光部材３の透過率を高くしたまま放置した場合、部屋の中にいる入居者等のプライバシが侵害されるおそれがある。部屋の内側にも調光部材操作具１５があれば、部屋の中にいる入居者等が自ら調光部材３の透過率を変更できるため、入居者等のプライバシが損なわれるおそれが少なくなる。
【００６１】
図７Ａは図６のＣ−Ｃ線断面図である。調光部材３の縁部は押し縁１３と重なり合っており、重なり合った箇所に調光部材操作具１５を配置することで、調光部材３の視界範囲に調光部材操作具１５が入らなくなるため、調光部材３を視認しやすくなり、見栄えもよくなる。
【００６２】
図７Ｂは図６のＤ−Ｄ線断面図である。調光部材操作具１５を調光部材３の上側に設ける場合には、図７Ｂに示すように、押し縁１３によって隠蔽される箇所に調光部材操作具１５を設けるのが望ましい。これにより、図７Ａと同様に、調光部材３を視認しやすくなり、見栄えもよくなる。なお、調光部材操作具１５は、開口部４ａの下側の壁面に設けてもよいが、凹部内にゴミが溜まりやすくなるため、図７のように上側の壁面に凹部を設けた方がよい。
【００６３】
調光部材操作具１５を操作する人間にとっては、できるだけ小さな操作荷重で調光部材操作具１５を操作できた方が操作性がよくなる。ところが、小さい操作荷重で調光部材操作具１５を操作できるようにすると、移動部材４の開閉による衝撃等による振動で、第１透光部２と第２透光部６の相対的な位置が変動しやすくなり、意図せずに調光部材３の透過率が変化してしまうおそれがある。本発明者が検証を行った結果、調光部材操作具１５を備えた調光部材３における最適な操作荷重は２〜２０ニュートンであることがわかった。操作荷重が２ニュートン未満だと、上述したように移動部材４の振動により、調光部材３の超過率が容易に変化してしまう。一方、操作荷重が２０ニュートンを超えると、調光部材操作具１５を操作するのにかなりの力を要することになり、女性等には操作がしにくくなる。
【００６４】
なお、調光部材操作具１５は必ずしも必須ではなく、第１透光部２または第２透光部６を指で多少押しつけながらスライドさせることで、調光部材３の透過率を変化させることもできる。この場合、上述した検証結果よりも、操作荷重を若干低めに設定するのが望ましい。また、人間の指で直接第１透光部２または第２透光部６を触ってスライドさせる場合、押しつけた面の第１透光部２または第２透光部６が撓みやすくなる。そこで、撓みを防止するために、図４に示した調光部材３の第２方向ｙと第１方向ｘの長さの比をより大きくするのが望ましい。
【００６５】
上述した種々の調光部材３では、第１調光部８と第２調光部９とを直接対向させているが、図８Ａに示すように第１透光部２と第２調光部９とを直接対向させてもよいし、その逆に第１透光部２と第２調光部９を直接対向させてもよい。また、図８Ｂに示すように第１透光部２と第２透光部６とを直接対向させてもよい。図８Ａや図８Ｂの場合、図２Ａと比べて第１調光部８と第２調光部９との隙間ｇが広がるため、隙間調整部材１１は省略してもよい。
【００６６】
上述した種々の調光部材３では、第１透光部２及び第２透光部６の少なくとも一方が割れる場合を想定して、飛散防止フィルム１６を第１透光部２及び第２透光部６の少なくとも一方に貼合してもよい。図９は図１Ａの調光部材３における第１透光部２及び第２透光部６の一方に飛散防止フィルム１６を貼合した例を示している。飛散防止フィルム１６は、第１透光部２又は第２透光部６の両方に貼合してもよい。飛散防止フィルム１６を第１透光部２及び第２透光部６の少なくとも一方に貼合することで、何らかの事情で第１透光部２又は第２透光部６が割れても、その破片が飛散しなくなり、安全性が向上する。なお、第１透光部２及び第２透光部６の少なくとも一方に飛散防止機能を持たせてもよい。この場合、飛散防止フィルムが不要となりうる。
【００６７】
上述した種々の調光部材３では、第１透光部２と第２透光部６を有する二重窓構造の例を説明したが、図１０に示すように、新たな透光部１９を追加して三重窓構造にしてもよい。
【００６８】
次に、第２調光部９と第１調光部８の構造について説明する。図１１〜図１４は第２調光部９と第１調光部８の構造を説明する図である。図１１は、第１調光部８が貼り合わされた第１透光部２側の断面構造と、第２調光部９が貼り合わされた第２透光部６側の断面構造とを示している。第１調光部８と第２調光部９の断面構造は同一である。第１調光部８と第２調光部９はそれぞれ、図１１及び図１２に示すように、所定方向ｄａに繰り返し配列された第１領域Ｚ１及び第２領域Ｚ２を含んでいる。第１領域Ｚ１及び第２領域Ｚ２は、所定方向ｄａに一定のピッチＰで繰り返し配置されている。所定方向ｄａに沿った第１領域Ｚ１及び第２領域Ｚ２の配列ピッチＰは、第１調光部８と第２調光部９とで同一となっている。
【００６９】
第２透光部６と第２調光部９は、接着層２１を介して接合接着されている。接着層２１には耐光性をもたせる添加材が含まれていてもよい。第２調光部９は、第１偏光層３１と第１位相差フィルム２３とを有する。同様に、第１調光部８は、第２偏光層３３と第２位相差フィルム２５とを有する。第１偏光層３１は第１偏光軸を有し、第２偏光層３３は第２偏光軸を有する。第１位相差フィルム２３と第２位相差フィルム２５はそれぞれ、所定方向ｄａに沿って交互に配列された複数の第１領域Ｚ１及び第２領域Ｚ２を有する。隣接する第１領域Ｚ１と第２領域Ｚ２は、面内の遅相軸の方向が異なっている。第１偏光層３１と第１位相差フィルム２３は接着層３５を介して接着されている。同様に、第２偏光層３３と第２位相差フィルム２５は接着層３５を介して接合接着されている。また、第１及び第２調光部８，９の表面に傷防止用の保護層、すなわちハードコート層を形成してもよい。
【００７０】
第１位相差フィルム２３は、基材層２６の上に配向層２７と第１液晶層２２を積層したものであり、第２位相差フィルム２５は、基材層２６の上に配向層２７と第２液晶層２４を積層したものである。基材層２６は、面内屈折率差の小さい透明材料を用いて形成される。一例として、厚みが４０μｍ以上１００μｍ以下の樹脂フィルム、とりわけＴＡＣ（トリアセチルセルロース）からなるフィルムやアクリル樹脂からなるフィルム、シクロオレフィンポリマーのフィルムなどを、基材層２６として用いることができる。
【００７１】
配向層２７は、所定方向ｄａに沿って交互に配列された第１配向部２７ａ及び第２配向部２７ｂを有する。各第１配向部２７ａは、一つの第１領域Ｚ１を区画することになり、各第２配向部２７ｂは、一つの第２領域Ｚ２を区画することになる。第１配向部２７ａ及び第２配向部２７ｂの所定方向ｄａへの配列ピッチは、第２調光部９と第１調光部８の第１領域Ｚ１及び第２領域Ｚ２の所定方向ｄａへの配列ピッチと同一となっている。そして、第１配向部２７ａと第２配向部２７ｂとでは、配向規制力が働く方向が交差しており、交差角度は例えば直角である。
【００７２】
第１液晶層２２と第２液晶層２４はそれぞれ、第１液晶部２９ａ及び第２液晶部２９ｂを有する。第１液晶部２９ａは、配向層２７の第１配向部２７ａ上に配置され、第２液晶部２９ｂは、配向層２７の第２配向部２７ｂ上に配置されている。これにより、各第１液晶部２９ａは、一つの第１領域Ｚ１に対応して位置し、各第２液晶部２９ｂは、一つの第２領域Ｚ２に対応して位置している。
【００７３】
第１液晶層２２と第２液晶層２４はそれぞれ、配向層２７の配向規制力により配向された分子を含んでいる。配向層２７が、第１配向部２７ａと第２配向部２７ｂとの間で互いに交差する方向に配向規制力を発現するため、第１液晶部２９ａ及び第２液晶部２９ｂに含有される分子は、互いに異なる方向、とりわけ直交する方向に配向されている。各液晶部２９ａ，２９ｂは、分子の配向方向に対応した方向に、例えば分子が配向した方向に直交する方向に、遅相軸を持つようになる。したがって、第１領域Ｚ１に対応する第１液晶部２９ａでの遅相軸の方向ｄ１と、第２領域Ｚ２に対応する第２液晶部２９ｂでの遅相軸の方向ｄ２とが、互いに交差、とりわけ直交するようになる。
【００７４】
図１３と図１４は第２調光部９と第１調光部８の所定方向ｄａへの相対移動量をピッチＰ分だけずらした例を示している。図１３では、第２調光部９の各第１領域Ｚ１が第１調光部８のいずれかの第１領域Ｚ１と対面し、且つ、第２調光部９の各第２領域Ｚ２が第１調光部８のいずれかの第２領域Ｚ２と対面する場合、第２調光部９を透過した光は、第１調光部８を透過することができる。より詳細には、第２調光部９の第１領域Ｚ１を透過した一方の直線偏光成分の光は、第１調光部８の第１領域Ｚ１に入射して、第１調光部８の第１領域Ｚ１を透過する。一方、第２調光部９の第２領域Ｚ２を透過した他方の直線偏光成分の光は、第１調光部８の第２領域Ｚ２に入射して、第１調光部８の第２領域Ｚ２を透過する。
【００７５】
一方、図１３の状態から、第２調光部９及び第１調光部８が、第１領域Ｚ１及び第２領域Ｚ２の配列ピッチＰだけ所定方向ｄａに相対移動すると、図１４に示すように、第２調光部９の各第１領域Ｚ１が第１調光部８のいずれかの第２領域Ｚ２と対面し、第２調光部９の各第２領域Ｚ２が第１調光部８のいずれかの第１領域Ｚ１と対面するようになる。この状態において、第２調光部９を透過した光は、第１調光部８を透過することができず、第１調光部８で吸収される。より詳細には、第２調光部９の第１領域Ｚ１を透過した一方の直線偏光成分の光は、第１調光部８の第２領域Ｚ２に入射して、第１調光部８の第２領域Ｚ２で吸収される。また、第２調光部９の第２領域Ｚ２を透過した他方の直線偏光成分の光は、第１調光部８の第１領域Ｚ１に入射して、第１調光部８の第２領域Ｚ２で吸収される。
【００７６】
以上のようにして、第１調光部８と第２調光部９の相対位置を所定方向ｄａにずらすことにより、可視光を透過させる透過状態（図１３）と、可視光を遮光する遮光状態（図１４）と、に切り替えることができる。このように、図示された調光装置１では、第２調光部９及び第１調光部８を相対摺動させるだけで、容易且つ即座に調光を行うことができる。
【００７７】
図１１〜図１４に示した構造の第１調光部８と第２調光部９は、所定方向ｄａにピッチ分だけ相対移動させることで、可視光を透過させるか否かを切り替えているが、第１調光部８と第２調光部９の所定方向ｄａへの相対移動量に応じて、可視光の透過率を多段階に切替可能な構造の第１調光部８と第２調光部９を設けてもよい。
【００７８】
図１５〜図１７は可視光透過率を多段階に切替可能な第１調光部８と第２調光部９を説明する図である。図１５に示すように、第１調光部８は、第１偏光層３１と第１位相差フィルム３２とを有する。第２調光部９は、第２偏光層３３と第２位相差フィルム３４とを有する。第１位相差フィルム３２と第２位相差フィルム３４は、近接して対向配置されている。第１偏光層３１と第２偏光層３３は、図１１等で説明した第１液晶層２２及び第２液晶層２４と本質的な違いはない。
【００７９】
第１位相差フィルム３２及び第２位相差フィルム３４は、同一の構造及び光学特性を有する。図１６は、各位相差フィルム３２，３４の一例を示す概略平面図である。図１６に示すように、第１位相差フィルム３２は、所定方向ｄａに沿って配列された複数の第１領域Ｚ１を含んでいる。第２位相差フィルム３４も、所定方向ｄａに沿って配列された複数の第２領域Ｚ２を含んでいる。複数の領域Ｚ１，Ｚ２の各々は、所定方向ｄａに沿って面内の遅相軸の方向が段階的に変化するように構成されている。なお、図１６の各領域Ｚ１，Ｚ２内に示された直線は、当該領域Ｚ１，Ｚ２での面内の遅相軸の方向を示している。一方、各領域Ｚ１，Ｚ２での遅相軸の方向は一定となっている。すなわち、この位相差フィルム３２，３４では、所定方向ｄａに沿って各領域Ｚ１，Ｚ２での遅相軸の方向が変化していくが、所定方向ｄａに直交する方向に沿って各領域Ｚ１，Ｚ２での遅相軸の方向は揃っている。
【００８０】
第１偏光層３１を透過した一方の直線偏光成分の光は、第１位相差フィルム３２及び第２位相差フィルム３４を透過して、第２偏光層３３に向かう。第１位相差フィルム３２を透過する光は、透過することになる第１領域Ｚ１の遅相軸の方向に応じた位相変調量にて、位相を変化させられる。次に、第２位相差フィルム３４を透過する光は、第１位相差フィルム３２を透過した後での偏光状態と透過することになる第２領域Ｚ２の遅相軸の方向とに応じた位相変調量にて、位相を変化させられる。第１位相差フィルム３２から及ぼされる位相変調量と第２位相差フィルム３４から及ぼされる位相変調量の合算により、第１位相差フィルム３２及び第２位相差フィルム３４を透過した後の偏光状態が制御され、当該偏光状態に応じてその後に入射する第２偏光層３３での透過率が変化する。
【００８１】
図１７を参照して、透過率調節機能をより具体的に説明する。なお、図１７に示された例において、位相差フィルム３２，３４は、λ／２の位相差を与える層とする。例えば、第１偏光層３１の偏光軸方向である鉛直方向と同一方向に振動する直線偏光成分の光が、第１偏光層３１を透過する。第１偏光層３１を透過した光は、第１位相差フィルム３２により、その直線偏光の振動方向と第１位相差フィルム３２の遅相軸とのなす角度をθ１とした場合に２×θ１分回転する。第１位相差フィルム３２を透過した光は、第２位相差フィルム３４により、その直線偏光の振動方向と第２位相差フィルム３４の遅相軸とのなす角度をθ２とした場合に２×θ２分回転する。図１７に示された例では、二つの位相差フィルム３２，３４での位相変調機能により、第１偏光層３１を透過した後に鉛直方向に振動していた光が、水平方向に振動する光に変換され、結果として、第２偏光層３３を透過する。すなわち、図１７の例では、第１偏光層３１を透過した光が、設計上、１００％の透過率で第２偏光層３３を透過することになる。なお、図１７に示された例では、入射光が無偏光の光であり、第１偏光層３１の透過率が５０％となる。したがって、図１７に示された調光装置１の透過率は、理想的には、５０％となる。
【００８２】
そして、この調光装置１では、図１６に示すように、第２位相差フィルム３４を第１位相差フィルム３２に対して所定方向ｄａに相対移動させることで、入射光が透過すべき第１領域Ｚ１と第２領域Ｚ２との組み合わせを変化させることで、調光装置１の透過率を調節することができる。なお、図１６と図１７においては、偏光層３１，３３の図示を省略している。
本実施形態による調光装置１を構成する第１透光部２と第２透光部６の少なくとも一方は、Ｌｏｗ−Ｅガラスであってもよい。Ｌｏｗ−Ｅガラスとは、ガラス面に銀などの特殊金属膜をコーティングして低放射機能を持たせたガラスである。Ｌｏｗ−Ｅガラスを採用することで、断熱性能や遮熱性能を向上させることができる。
【００８３】
上述した種々の調光装置１は、建物や種々の構造体に組み込むことが可能であり、用途や設置場所には特に依存しない。
【００８４】
このように、本実施形態では、移動部材の開口部に調光部材を嵌めこみ、調光部材における第１透光部に支持される第１調光部と第２透光部に支持される第２調光部とが重なり合う領域を可変できるようにしたため、第１透光部及び第２透光部の所定方向への相対移動量に応じて、調光部材の可視光波長域の透過率を可変させることができる。これにより、必要なときのみ、移動部材の開口部の透過率を高くすることができ、部屋にいる入居者等のプライバシを尊重しつつ、入居者等を見守ることができる。
【００８５】
特に、本実施形態による調光装置１は、第１調光部８と第２調光部９との相対位置を変えることで、可視光透過率を切り替えることができ、しかも電力を消費しないため、手軽に扱うことができる。第１調光部８と第２調光部９を構成する位相差フィルムの構造を変えることで、可視光透過率を二段階や多段階に切り替えることができる。
【００８６】
図１１〜図１４では、第１調光部８と第２調光部９を偏光層と位相差フィルムを用いて構成する例を示したが、パターニング偏光板を用いて液晶層を省略することにより構造を簡略してもよい。
【００８７】
本開示の態様は、上述した個々の実施形態に限定されるものではなく、当業者が想到しうる種々の変形も含むものであり、本開示の効果も上述した内容に限定されない。すなわち、特許請求の範囲に規定された内容及びその均等物から導き出される本開示の概念的な思想と趣旨を逸脱しない範囲で種々の追加、変更及び部分的削除が可能である。
【符号の説明】
【００８８】
１  調光装置、２  第１透光部、３  調光部材、４  移動部材、４ａ  開口部、６  第２透光部、７  枠体、８  第１調光部、９  第２調光部、１０  滑り部材、１１  隙間調整部材、１４  移動部材操作具、１５  調整部材操作具、１６  飛散防止フィルム、１７  第１弾性部材、１８  第２弾性部材、１９  透光部、２１  接着層、２２  第１液晶層、２３  第１位相差フィルム、２４  第２液晶層、２５  第２位相差フィルム、２６  基材層、２７  配向層、２７ａ  第１配向部、２７ｂ  第２配向部、２９ａ  第１液晶部、２９ｂ  第２液晶部、３１  第１偏光層、３２  第１位相差フィルム、３３  第２偏光層、３４  第２位相差フィルム、３５  接着層
【図１】
2019011636.tif 000003
【図２Ａ】
2019011636.tif 000004
【図２Ｂ】
2019011636.tif 000005
【図２Ｃ】
2019011636.tif 000006
【図２Ｄ】
2019011636.tif 000007
【図３Ａ】
2019011636.tif 000008
【図３Ｂ】
2019011636.tif 000009
【図４】
2019011636.tif 000010
【図５】
2019011636.tif 000011
【図６】
2019011636.tif 000012
【図７Ａ】
2019011636.tif 000013
【図７Ｂ】
2019011636.tif 000014
【図８Ａ】
2019011636.tif 000015
【図８Ｂ】
2019011636.tif 000016
【図９】
2019011636.tif 000017
【図１０】
2019011636.tif 000018
【図１１】
2019011636.tif 000019
【図１２】
2019011636.tif 000020
【図１３】
2019011636.tif 000021
【図１４】
2019011636.tif 000022
【図１５】
2019011636.tif 000023
【図１６】
2019011636.tif 000024
【図１７】
2019011636.tif 000025